(57)【要約】【課題】コストが高くならず、また、一旦粘着シートと台紙とが分離されたとしても証拠能力の低下を招くことがなく、かつ証拠能力の高い鑑識用転写シートを得る。【解決手段】本発明に係る鑑識用転写シート１は、片面に粘着剤層３を備えた粘着シート５と粘着剤層３に再貼付可能に貼り合わせられた台紙７とを備えた鑑識用転写シート１であって、鑑識用転写シート１の少なくとも一辺に台紙７と粘着シート５の両方に跨って複数の記号が連続して刻印されており、これら記号における隣接するものの大きさ及び／または隣接する記号同士の間隔が異なるように設定されていることを特徴とするものである。【選択図】図１
2010169618.tif 000002
【特許請求の範囲】
【請求項１】
片面に粘着剤層を備えた粘着シートと前記粘着剤層に再貼付可能に貼り合わせられた台紙とを備えた鑑識用転写シートであって、鑑識用転写シートの少なくとも一辺に前記台紙と前記粘着シートの両方に跨って複数の記号が連続して刻印されており、これら記号における隣接するものの大きさ及び／または隣接する記号同士の間隔が異なるように設定されていることを特徴とする鑑識用転写シート。
【請求項２】
隣接する記号の大きさ及び／または隣接するもの同士の間隔が0.5pt以内の範囲で異なるように設定されていることを特徴とする請求項１に記載の鑑識用転写シート。
【請求項３】
刻印はレーザによってなされており、印字部分が開口されるかまたは熱による着色していることを特徴とする請求項１又は２に記載の鑑識用転写シート。
【請求項４】
片面に粘着剤層を備えた粘着シートと前記粘着剤層に再貼付可能に貼り合わせられた台紙とを備えた鑑識用転写シートの少なくとも一辺に記号を連続して刻印する刻印工程を有し、該刻印工程において、隣接する記号の大きさ及び／または隣接する記号同士の間隔が異なるように刻印するようにしたこと特徴とする鑑識用転写シート製造方法。
【請求項５】
刻印はレーザによって行うこととし、印字部分が開口されるかまたは熱による着色するようにしたことを特徴とする請求項４に記載の鑑識用転写シート。
【請求項６】
刻印する文字列を入力する文字列入力手段と、入力された文字列に対して、各文字の大きさ及び／または文字間隔をランダムに設定するランダム文字列設定手段と、ランダム文字列設定手段によって設定された文字列を刻印するためにレーザ刻印装置に指示する制御手段と、制御手段の指示に従って文字列を鑑識用転写シートに刻印するレーザ刻印装置とを備えてなることを特徴とする鑑識用転写シート製造装置。
【発明の詳細な説明】
【技術分野】
【０００１】
本発明は、指紋や足跡、タイヤ跡等の採取に使用する鑑識用転写シート、該鑑識用転写シート製造方法及び装置に関する。
【背景技術】
【０００２】
指紋・足跡採取用の粘着シートとして、例えば透明支持フィルムの片面にウレタン系粘着剤を塗布した鑑識用粘着シートが特開２００１−４０２９９号公報（特許文献１参照）に開示されている。
特許文献１に開示された鑑識用粘着シートは、透明な支持フィルムの片面にウレタン系粘着剤を塗布したウレタン粘着シートを、表面が離型性プラスチックフィルムからなる台紙に貼着して構成される。
【０００３】
このような鑑識用粘着シートを用いて指紋を採取する手順は、特許文献１にも記載されているように、以下の通りである。まず、採取対象面に粉末を刷毛などで少しずつ塗布し、穂先で軽く払うようにして指紋隆線の部分だけに粉末を付着させて指紋を浮き上がらせる。次いで、粘着シートの一端から剥離紙を兼ねた台紙を剥離して粘着面を採取対象面に当接し、浮き上がらせた指紋を粘着面に完全に転写させ、その後台紙を再び粘着面に貼り合わせる。そして、台紙に採取時、採取場所等の必要事項を記入して、指紋採取を完了する。
【０００４】
しかしながら、台紙は粘着シートから容易に剥離、再貼付できるものであり、保管時に粘着シートあるいは台紙を意図的に貼り替えることができる。また、台紙が粘着シートから自然に剥離し、粘着シートと台紙とが入り乱れる可能性もあった。
【０００５】
このような問題点を解決するため、指紋・足跡等を採取した後に、再度台紙が剥離され貼り替えられたことを直ちに判別可能にすることにより、鑑識用粘着シートの証拠能力を高めることを目的とする鑑識用粘着シートが提案されている。
例えば、特許文献２に提案された鑑識用粘着シートは、支持体の片面に粘着剤層を備えた粘着シート層と前記粘着剤層に再貼付可能に貼り合わせられた台紙層とからなる鑑識用粘着シート本体と、前記粘着シート層と前記台紙層とを貼り合わせた状態で両者を貼着固定する剥離判別用粘着テープとを備えたことを特徴とするものである（特許文献２参照）。
【０００６】
しかしながら、上記の特許文献２の方法においては、粘着シートと台紙を剥がすと痕跡が残るテープである剥離判別用粘着テープという特殊なテープを用いているためにコストが高くなるし、また、痕跡が残るテープを上手に貼り替えると、貼り替えの事実がわかりにくくなるという問題もある。
【０００７】
そこで、本願の発明者は、コストが高くならず、また、証拠能力の高い鑑識用転写シートを得ることを目的として、社会的にも長年に亘って証明力があるものと受け入れられている割印に着目し、これを鑑識用転写シートの貼替え防止に応用した鑑識用転写シートを提案した（特許文献３参照）。
特許文献３に開示された鑑識用転写シートは、片面に粘着剤層を備えた粘着シートと前記粘着剤層に再貼付可能に貼り合わせられた台紙とからなる鑑識用転写シート本体と、前記粘着シート層と前記台紙とを貼り合わせた状態で両者の縁部に沿って両面に亘って貼着した捺印可能な貼着部材とを備えたものである。
【先行技術文献】
【特許文献】
【０００８】
【特許文献１】特開２００１−４０２９９号公報
【特許文献２】特開２００３−８９７７６号公報
【特許文献３】登録実用新案第３１２７５９４号公報
【発明の概要】
【発明が解決しようとする課題】
【０００９】
特許文献３に開示された鑑識用転写シートは、その構成が簡易であり低コストでありながら、証拠能力を高められるという点で優れたものである。
しかしながら、一般的に粘着シートの表面がつるつるした平滑面であるため割印方法では粘着シート面への印影を鮮明にして捺印することが難しく、粘着シート面の印影が不鮮明になるという問題がある。この点、仮に特殊なインクを用いて印影を鮮明にして落ちにくくすることも考えられるが、このようにすると印鑑を洗浄するのに特殊な溶剤を必要とし、それ故に印鑑に損傷を与えることも考えられる。
【００１０】
また、特許文献２、３に開示された方法は、指紋等を採取して、粘着シートと台紙を一度貼り合わせたら、それ以降は両者が分離していないことを証明することによって、両者の一体性を確保して証拠能力を高めようとするものである。
しかしながら、経年による粘着力の劣化や何らかの物理的作用によって、粘着シートが台紙から剥離したような場合において、上記の方法では本来は真正な証拠であっても証拠能力の低下をまねくことも考えられる。
【００１１】
本発明は係る問題点を解決するためになされたものであり、コストが高くならず、また、一旦粘着シートと台紙とが分離されたとしても証拠能力の低下を招くことがなく、かつ証拠能力の高い鑑識用転写シートを得ることを目的としている。
【課題を解決するための手段】
【００１２】
上記問題点を解決するために、発明者は、鑑識用転写シートの証拠能力がいかにすれば担保されるのかについて、その原理に立ち返り検討を行った。
鑑識用転写シートは指紋等の採取物件、採取日、採取者、立会人当を直筆で記載すると共に捺印した台紙と、採取した指紋等が転写された粘着シートから構成される。そして、それらが指紋採取時に張り合わされて一体になることで、当該転写された指紋が当該台紙に記載された採取物件等のものであることを示すものである。したがって、鑑識用転写シートの証拠能力を担保するには、採取された指紋が転写された粘着シートと当該指紋が採取された採取物件等とを記載した台紙との対応関係が指紋採取時のままであることが明確であればよい。
この点、特許文献２、３に開示されたものは、指紋等が採取されたときに粘着シートと台紙とが一旦貼り合わされた後、それが一度も剥がされていないことを証明することで両者の対応関係が異なるものに入れ代わっていないことを証明しようという考え方である。
【００１３】
しかしながら、このような考え方では、上述のように経年による粘着力の劣化や何らかの物理的作用によって、台紙が粘着シートから剥離したような場合において、本来は真正な証拠であっても証拠能力の低下をまねくという問題がある。
そこで、発明者は従来の発想を転換して、粘着シートと台紙が元々一体であったことを確認できるようにすることで、両者が分離した形跡の有無を問わず証拠能力を高めることができるとの知見を得た。
そこでこのようなことを実現するためにさらに検討を行った。
台紙側には署名捺印がされることから台紙は真正である。したがって、台紙に張り合わされている粘着シートが張り合わされた当初のものと同一のものであることを確認できるようにすればよい。そのために、粘着シートと台紙とを貫通するようにして刻印をし、しかもその刻印を通常の方法では再現できず、しかも簡易に刻印できるようにするにはどうすればよいかを鋭意検討した。
本発明はこのような発想の転換と検討に基づきなされたものであり、具体的には以下の構成からなるものである。
【００１４】
（１）本発明に係る鑑識用転写シートは、片面に粘着剤層を備えた粘着シートと前記粘着剤層に再貼付可能に貼り合わせられた台紙とを備えた鑑識用転写シートであって、鑑識用転写シートの少なくとも一辺に前記台紙と前記粘着シートの両方に跨って複数の記号が連続して刻印されており、これら記号における隣接するものの大きさ及び／または隣接する記号同士の間隔が異なるように設定されていることを特徴とするものである。
なお、本明細書において記号には文字、数字、その他の記号を含む。
【００１５】
（２）また、上記（１）に記載のものにおいて、隣接する記号の大きさ及び／または隣接するもの同士の間隔が0.5pt以内の範囲で異なるように設定されていることを特徴とするものである。
なお、「pt」とは、文字サイズを示すものであり、JISで採用されている1ポイント=0.3514mmを意味する。
【００１６】
（３）また、上記（１）又は（２）に記載のものにおいて、刻印はレーザによってなされており、印字部分が開口されるかまたは熱による着色していることを特徴とするものである。
【００１７】
（４）本発明に係る鑑識用転写シート製造方法は、片面に粘着剤層を備えた粘着シートと前記粘着剤層に再貼付可能に貼り合わせられた台紙とを備えた鑑識用転写シートの少なくとも一辺に記号を連続して刻印する刻印工程を有し、該刻印工程において、隣接する記号の大きさ及び／または隣接する記号同士の間隔が異なるように刻印するようにしたこと特徴とするものである。
【００１８】
（５）また、上記（４）に記載のものにおいて、刻印はレーザによって行うこととし、印字部分が開口されるかまたは熱による着色するようにしたことを特徴とするものである。
【００１９】
（６）本発明に係る鑑識用転写シート製造装置は、刻印する文字列を入力する文字列入力手段と、入力された文字列に対して、各文字の大きさ及び／または文字間隔をランダムに設定するランダム文字列設定手段と、ランダム文字列設定手段によって設定された文字列を刻印するためにレーザ刻印装置に指示する制御手段と、制御手段の指示に従って文字列を鑑識用転写シートに刻印するレーザ刻印装置とを備えてなることを特徴とするものである。
【発明の効果】
【００２０】
本発明に係る鑑識用転写シートは、片面に粘着剤層を備えた粘着シートと前記粘着剤層に再貼付可能に貼り合わせられた台紙とを備えた鑑識用転写シートであって、鑑識用転写シートの少なくとも一辺に前記台紙と前記粘着シートの両方に跨って複数の記号が連続して刻印されており、これら記号における隣接するものの大きさ及び／または隣接する記号同士の間隔が異なるように設定されているので、粘着シートと台紙とが元々一体であったという事実を確認することができ、仮に指紋採取後に両者が分離したとしても、両者の関連性の証明は容易であり、鑑識用転写シートの証拠能力を高めることができる。
【図面の簡単な説明】
【００２１】
【図１】本発明の一実施の形態に係る指紋転写シートの説明図である。
【図２】本発明の一実施の形態に係る指紋転写シートの説明図である。
【図３】本発明の一実施の形態に係る指紋転写シートの断面図である。
【図４】本発明の一実施の形態に係る指紋転写シートの一部を拡大して示す説明図である。
【図５】本発明の一実施の形態に係る指紋転写シートの他の態様の説明図である。
【図６】本発明の一実施の形態に係る指紋転写シートの他の態様の説明図である。
【図７】本発明の一実施の形態に係る指紋転写シート製造装置の説明図である。
【図８】本発明の一実施の形態に係る指紋転写シートを用いて指紋採取を行う方法の説明図である。
【図９】本発明の一実施の形態に係る指紋転写シートを用いて指紋採取を行う方法の説明図である。
【図１０】本発明の一実施の形態に係る指紋転写シートを用いて指紋採取を行う方法の説明図である。
【発明を実施するための形態】
【００２２】
［実施の形態１］
本実施の形態においては鑑識用転写シートの例として、指紋を採取するための指紋転写シートを例に挙げて説明する。
図１、図２、図３は本実施の形態にかかる指紋転写シートの説明図であり、図１が表面側（粘着シート面側）を示し、また図２が裏面側（台紙側）を示し、さらに図３は断面図を示している。本実施の形態にかかる指紋転写シート１は、片面に粘着剤層３を備えた粘着シート５と前記粘着剤層３に再貼付可能に貼り合わせられた台紙７とを備え、指紋転写シート１の上下二辺に台紙７と粘着シート５の両方に跨って英文字が連続して刻印されており、これら英文字における隣接するものの大きさ及び隣接するもの同士の間隔が異なるように設定されているものである。
以下、各構成を詳細に説明する。
【００２３】
＜指紋転写シート＞
指紋転写シート１は、図３に示すように、片面に粘着剤層３を備えた粘着シート５と粘着剤層３に再貼付可能に貼り合わせられた台紙７とからなる。
台紙７には、図２に示すように、採取日時、事件名、採取者、立会人等の一まとまりの記載事項を記載できる枠（以下、「記載枠」という）が６個印刷されている。
なお、本実施の形態の指紋転写シート１では、記載枠が６個印刷された場合が示されているが、その数は特に限定されない。ただ、記載枠を複数印刷しておくことで、指紋転写シート１を指紋採取対象の大きさに合わせて切断して使用する際にも、切断した各片に記載枠が少なくとも一つ存在するようにできるので、便宜である。
【００２４】
指紋転写シート１の上下２辺には、図１、図２に示すように、「ＨＩＪＴＹ」の５文字が連続した一組の文字列が連続して刻印されている。これらの文字列は粘着シート５と台紙７の両方に跨って貫通するように刻印されている。図４は文字列の刻印の状態を説明する説明図であり、図１の点線の丸で囲んだ部分における粘着シート５の一部を剥がした状態を示している。図４に示されるように、文字が刻印された部位においては粘着シート５と台紙７の両方が各文字の形になるように刳り貫かれている。
【００２５】
これらの「ＨＩＪＴＹ」の５つ文字が繋がって形成される文字列は、隣り合う各文字の大きさが微妙に異なるように設定されており、かつ隣り合う各文字間の間隔が微妙に異なるように設定されている。ここでいう微妙に異なるとは、隣接する文字の大きさ及び文字間隔の差が0.5pt以内で異なっていることをいう。
例えば、図２における上辺に刻印した文字のうち左から「ＨＩＪＴＹＨ」の６文字を取り出して各文字の大きさと文字間隔を示す次の表１のようになっている。
【００２６】
【表１】
2010169618.tif 000003
【００２７】
表１に示すように、図２における上辺の「ＨＩＪＴＹＨ」においては、Ｈの大きさが10.0pt、Ｉが10.5pt、Ｊが１0.0pt、Ｔが9.5pt、Ｙが9.0pt、Ｈが9.5ptにそれぞれ設定されている。また、ＨとＩの間隔すなわち文字送りが10.5pt、ＩとＪの間隔が10.7pt、ＪとＴの間隔が10.5pt、ＴとＹの間隔が10.0pt、ＹとＨの間隔が10.3pt、にそれぞれ設定されている。
なお、取り出した６文字に続く文字についても上記の６文字と同様に隣り合う各文字の大きさが微妙に異なるように設定されており、かつ隣り合う各文字間の間隔が微妙に異なるように設定されている。
【００２８】
このように、指紋転写シート１の上下２辺に文字列を刻印し、これら刻印した隣り合う各文字の大きさが微妙に異なるように設定されており、かつ隣り合う各文字間の間隔が微妙に異なるように設定することで、以下のような効果が得られる。
指紋転写シート１は所定の大きさに切り取って使用することになるが、その際に各切り取った部位に付されている文字列のパターン（大きさと文字間隔）の同じものが存在しないので、仮に悪意の者が別の粘着シート５に指紋を転写して台紙７に貼りつけようとしても、パターンの文字列の粘着シート５がないので、そのようなことができない。また、仮に粘着シート５に付された刻印と同じものを刻印しようとしても、文字の大きさ及び文字間隔が微妙に違ったものを作成しようとしても極めて困難であり、そのような悪意者の行為も排除できる。
【００２９】
逆に、真正のものであれば、粘着シート５と台紙７が分離したとしても、両者の関連性は文字列の大きさと間隔の一致をみれば明確に確認することができ、粘着シート５と台紙７が分離したしても証拠能力が失われることもない。
【００３０】
なお、上記の実施の形態においては、図４に示したように、台紙７側及び粘着シート５の両方の文字が刳り貫かれる場合を示したが、図５に示すように、台紙７側の文字が刳り貫かれ、粘着シート５側の文字には着色がされるような態様であってもよい。
【００３１】
また、上記の実施の形態においては、英文字５文字からなる文字列を連続して刻印する例を示したが、英文字に限らず他の文字やその他の記号など何であってもよい。この場合、例えば数字の「０」や英文字の「Ｄ」のような閉じた線を有する文字の場合、これらの線が繋がっていると刻印したときに全体が刳り貫かれてしまい文字を明確に表示できなくなってしまう。例えば、「０」の場合には、単なる丸の孔になってしまう。そこで、このようなことを防止するために、文字や記号を表示する方法として、図６（ａ）（ｂ）に示すように点描方式にしてもよい。
【００３２】
また、上記の実施の形態においては、文字列の隣り合う各文字の大きさ及び文字間隔が異なることの例として、隣接する文字の大きさ及び文字間隔の差が0.5pt以内で異なっているようにした例を挙げたがこれに限られるものではなく、0.5ptを超える差異があってもよい。もっとも、隣接する文字の大きさ及び文字間隔の差を0.5pt以内にすることにより、その差異が小さくなるので、同じものを製造するのがより難しくなり、より証拠能力を高めることができる。
【００３３】
［実施の形態２］
図７は本発明の一実施の形態に係る指紋転写シート製造装置の説明図である。指紋転写シート製造装置９は、刻印する文字列を入力する文字列入力手段１１と、入力された文字列に対して、各文字の大きさ及び／または文字間隔をランダムに設定するランダム文字列設定手段１３と、ランダム文字列設定手段１３によって設定された文字列を刻印するためにレーザ刻印装置１７に指示する制御手段１５と、制御手段１５の指示にしたがって指紋転写シート１に文字列の刻印をするレーザ刻印装置１７を備えている。
以下、各構成を詳細に説明する。
【００３４】
＜文字列入力手段＞
文字列入力手段１１としては、例えばキーボードなどである。その他の例としては、音声によって文字列を入力する音声文字入力装置のようなものであってもよい。
【００３５】
＜ランダム文字列設定手段＞
ランダム文字列設定手段１３は、文字列入力手段１１によって入力された文字列に対して、各文字の大きさ及び／または文字間隔をランダムに設定するものであり、ＣＰＵがプログラムを実行することで実現されるものである。
ランダム文字列設定手段１３による文字列の設定方法の一例を、例えば、実施の形態１で説明したような「ＨＩＪＴＹ」の５文字からなる文字列が入力された場合を想定して説明する。
実施の形態１で説明したように、「ＨＩＪＴＹ」の５つの文字列において、隣り合う各文字の大きさや、隣り合う各文字間の間隔がランダムに設定される。
【００３６】
このような隣り合う各文字の大きさや、隣り合う各文字間の間隔をランダムに設定するためのプログラムは種々のものが考えられるが、その一例を挙げれば以下のようなものである。
（ア）  基礎となるＬ文字の文字列ＳをＳ＝Ｃ１＋Ｃ２＋・・・・・＋Ｃ（Ｌ−１）＋ＣＬとする。
ただし、Ｌは１以上の整数、Ｓは任意もしくは連番で与えられる。
例えば、Ｌ＝５の場合において、上記の５文字を用いると、文字列Ｓは、「Ｓ＝ＨＩＪＴＹ」となる。
（イ）刻印する文字列ＤはＤ＝Ｓ１＋Ｓ２＋・・・・・＋Ｓ（Ｋ−１）＋ＳＫとなる。
ただし、Ｋ＝（刻印可能幅）÷（文字列Ｓの最大値）
例えば、印刷可能幅が１５ｃｍであり、文字列Ｓの最大幅が５ｃｍであれば、Ｋ＝３となる。
Ｋ＝３の場合、上記の基礎となる文字列ＳがＳ＝ＨＩＪＴＹの場合、刻印する文字列Ｄは、
Ｄ＝ＨＩＪＴＹＨＩＪＴＹＨＩＪＴＹとなる。
（ウ）ＳＮのＣＭのポイント数はＰＮ．Ｍとする。
（エ）ＳＮのＣＭの前の文字との文字間長はＷＮ．Ｍとする。
但し、Ｗ１．１は絶対座標０からの長さとする。
（オ）ＰＮ．Ｍ及びＷＮ．Ｍの具体的なポイント数は、Ｎ＝１からＬまで、Ｍ＝１からＫまでに関して下記(i)(ii)の方法で各々の値を作成する。
なお、ＰＮ．Ｍ並びにＷＮ．Ｍは、刻印装置の刻印精度以下にならないように計数と定数で調整される。
(i)  ＰＮ．Ｍ＝乱数×計数＋定数
(ii)  ＷＮ．Ｍ＝乱数×計数＋定数
【００３７】
次に、上記のような指紋転写シート製造装置９による指紋転写シートの製造方法を説明する。文字列入力手段１１によって任意の文字列を入力する。例えば、「ＨＩＪＴＹ」を入力する。文字列が入力されると、ランダム文字列設定手段１３が入力された文字列に対して各文字の大きさ及び文字間隔をランダムに設定する。このとき、一組の文字列「ＨＩＪＴＹ」についてのみランダムに設定するのではなく、これが連続する文字列として、一組目の文字列と二組目の文字列についても異なるようにランダムに設定する。
【００３８】
ランダム文字列設定手段１３によって文字列を構成する各文字の大きさ及び文字間隔が設定されると、制御手段１５がこの設定値に基づいて刻印するようにレーザ刻印装置１７に指示をする。レーザ刻印装置１７は制御手段１５の指示に従って指紋転写シート１の所定の箇所にレーザを照射して文字列の刻印を行う。なお、刻印に際しては、台紙７側からレーザを照射してもよいし、粘着シート５側から照射してもよい。また、図４に示したように、台紙７と粘着シート５の両方を刳り貫くように刻印してもよいし、図５に示すように、台紙７側を刳り貫いて粘着シート５側には熱による着色を付けるようにしてもよい。レーザの強さによって設定することができる。
【００３９】
以上のように、本実施の形態によれば、粘着シート５と台紙７との関連性が確保され、仮に指紋採取後に両者が分離したとしても、両者の関連性の証明は容易であり、指紋転写シート１の証拠能力を高めることができる指紋転写シートを簡易に製造することができる。
【００４０】
図８〜図１０は指紋転写シート１の使用方法の説明図である。以下、指紋転写シート１の使用方法を、図８〜図１０に基づいて説明する。
指紋の採取現場において、指紋の採取対象物の表面に刷毛などで粉末を少しずつ塗布し、穂先で軽く払うようにして指紋隆線の部分だけに粉末を付着させて指紋を浮き上がらせる。次に、図８（ａ）に示すように、指紋転写シート１を指紋採取面積に応じて鋏などで切断する。ことのとき、切り取った指紋転写シート片１９の裏面を示す図８（ｂ）のように、指紋転写シート片１９の裏面には、一まとまりの必要事項記載欄を含む記載枠が少なくとも一つ含まれるようにするのが望ましい。
【００４１】
次に、所定の大きさに切断した指紋転写シート片１９の一端から台紙７を一部剥離して粘着シート５の粘着面を採取対象面に当接する。そして、さらに台紙７を剥離しながら浮き上がらせた指紋の全形を粘着面に転写させる。その後、台紙７を再び粘着面に貼り合わせることで、図９に示すように、指紋の全形を粘着シート５に転写させた状態となる。そして、図１０に示すように、台紙７の裏面に採取時、採取場所等の必要事項の記入と捺印をする。この例では、採取年月日：平成１８年８月３１日、採取ＮＯ：５１、採取場所：×××方、事件名：○○○、採取物件：玄関ドア、立会人：鈴木次郎、採取者：清水太郎、を記入し、採取者と立会人の捺印を行う。
【００４２】
上記のようにして指紋を採取した場合において、仮に悪意ある第三者が指紋を転写した粘着シート５を付け替えようとしても、同じ文字列（文字の大きさ及び文字間隔）を刻印した指紋転写シートは存在しないのでそのような指紋転写シートの粘着シートを転用して用いることができない。また、仮に同じ文字列の刻印を再現して製造しようとしても、文字の大きさ及び隣接する文字間の間隔が微妙に異なるように設定されているので、そのようなものを再現して製造するのは極めて困難であり、そのような行為をも排除できる。このように、本発明の指紋転写シート１であれば、悪意の第三者の上記のような行為を排除でき、その結果、指紋転写シート１の証拠能力を高めることができる。
【００４３】
以上のように、本実施の形態によれば、簡易な手段によって、証拠能力の高い鑑識用転写シートキットを得ることができる。しかも、コストが高くなることもない。
また、指紋転写シート１を指紋採取対象面積に対応した大きさに切断して使用した場合にも適用できるので、極めて経済的である。
【００４４】
上記の実施の形態においては、指紋採取について説明したが、本発明は指紋の他足跡、タイヤ跡等の採取にも適用できることはいうまでもない。
【符号の説明】
【００４５】
１  指紋転写シート
３  粘着剤層
５  粘着シート
７  台紙
９  指紋転写シート製造装置
１１  文字列入力手段
１３  ランダム文字列設定手段
１５  制御手段
１７  レーザ刻印装置
１９  指紋転写シート片
【図１】
2010169618.tif 000004
【図２】
2010169618.tif 000005
【図３】
2010169618.tif 000006
【図４】
2010169618.tif 000007
【図５】
2010169618.tif 000008
【図６】
2010169618.tif 000009
【図７】
2010169618.tif 000010
【図８】
2010169618.tif 000011
【図９】
2010169618.tif 000012
【図１０】
2010169618.tif 000013